【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
加圧室（１８）内の燃料を加圧部材（１１）により加圧して吐出する吐出動作を繰り返し実行する燃料ポンプ（１３０）を制御する制御装置（１００〜１０４）であって、
前記加圧室内の燃料の温度である加圧室温度を取得する加圧室温度取得部と、
前記加圧室温度取得部により取得された前記加圧室温度が閾値よりも高い場合に、前記燃料ポンプの１回の前記吐出動作による燃料の吐出量を増加させる吐出量制御部と、
を備え、
前記燃料ポンプには、前記燃料ポンプにより吐出された燃料を加圧状態で保持する保持容器（１４０）が接続されており、
前記加圧室温度取得部は、前記燃料ポンプに供給される燃料の温度である供給温度を取得する供給温度取得部（１０４）と、前記保持容器内の燃料の圧力である保持圧力を取得する保持圧力取得部（１０１）とを備え、前記供給温度取得部により取得された前記供給温度と、前記保持圧力取得部により取得された前記保持圧力と、前記燃料ポンプの前記吐出動作の速度と、前記燃料ポンプの１回の前記吐出動作による燃料の吐出量とに基づいて、前記加圧室温度を取得することを特徴とする燃料ポンプの制御装置。
【請求項２】
前記吐出量制御部は、前記燃料ポンプの１回の前記吐出動作による燃料の吐出量を増加させる際に、前記燃料ポンプの所定期間における前記吐出動作の回数を減少させる請求項１に記載の燃料ポンプの制御装置。
【請求項３】
加圧室（１８）内の燃料を加圧部材（１１）により加圧して吐出する吐出動作を繰り返し実行する燃料ポンプ（１３０）を制御する制御装置（１００〜１０４）であって、
前記加圧室内の燃料の温度である加圧室温度を取得する加圧室温度取得部と、
前記加圧室温度取得部により取得された前記加圧室温度が閾値よりも高い場合に、前記燃料ポンプの１回の前記吐出動作による燃料の吐出量を増加させる吐出量制御部と、
を備え、
前記吐出量制御部は、前記燃料ポンプの１回の前記吐出動作による燃料の吐出量を増加させる際に、前記燃料ポンプの所定期間における前記吐出動作の回数を減少させることを特徴とする燃料ポンプの制御装置。
【請求項４】
前記燃料ポンプには、前記燃料ポンプにより吐出された燃料を加圧状態で保持する保持容器が接続されており、
前記吐出量制御部は、前記燃料ポンプの１回の前記吐出動作による燃料の吐出量を増加させる際に、前記保持容器内の燃料の圧力である保持圧力の脈動幅が許容値よりも小さくなるように、前記燃料ポンプの１回の前記吐出動作による燃料の吐出量を設定する請求項１〜３のいずれか１項に記載の燃料ポンプの制御装置。
【請求項５】
加圧室（１８）内の燃料を加圧部材（１１）により加圧して吐出する吐出動作を繰り返し実行する燃料ポンプ（１３０）を制御する制御装置（１００〜１０４）であって、
前記加圧室内の燃料の温度である加圧室温度を取得する加圧室温度取得部と、
前記加圧室温度取得部により取得された前記加圧室温度が閾値よりも高い場合に、前記燃料ポンプの１回の前記吐出動作による燃料の吐出量を増加させる吐出量制御部と、
を備え、
前記燃料ポンプには、前記燃料ポンプにより吐出された燃料を加圧状態で保持する保持容器が接続されており、
前記吐出量制御部は、前記燃料ポンプの１回の前記吐出動作による燃料の吐出量を増加させる際に、前記保持容器内の燃料の圧力である保持圧力の脈動幅が許容値よりも小さくなるように、前記燃料ポンプの１回の前記吐出動作による燃料の吐出量を設定することを特徴とする燃料ポンプの制御装置。
【請求項６】
前記吐出量制御部は、前記保持圧力に基づいて、前記保持圧力の脈動幅が前記許容値よりも小さくなる範囲内で、前記燃料ポンプの１回の前記吐出動作による燃料の吐出量を設定する請求項４又は５に記載の燃料ポンプの制御装置。
【請求項７】
前記保持容器内の燃料の圧力である保持圧力を検出する保持圧力検出部を備え、
前記吐出量制御部は、前記保持圧力検出部により検出された前記保持圧力の脈動幅が前記許容値よりも大きい場合に、前記燃料ポンプの１回の前記吐出動作による燃料の吐出量を減少させる請求項４又は５に記載の燃料ポンプの制御装置。
【請求項８】
前記燃料ポンプに供給される燃料の圧力である供給圧力を取得する供給圧力取得部（１０３）を備え、
前記閾値は、前記燃料の蒸気圧が前記供給圧力取得部により取得された前記供給圧力になる温度に基づいて設定される請求項１〜７のいずれか１項に記載の燃料ポンプの制御装置。
【請求項９】
前記燃料ポンプは、前記吐出動作において吐出されずに前記加圧室からリークした燃料であるリーク燃料を、前記加圧室に燃料を供給する供給通路（８２）に戻す戻し通路（８６）を備えている請求項１〜８のいずれか１項に記載の燃料ポンプの制御装置。
【請求項１０】
加圧室（１８）内の燃料を加圧部材（１１）により加圧して吐出する吐出動作を繰り返し実行する燃料ポンプ（１３０）を制御する制御装置（１００〜１０４）であって、
前記燃料ポンプには、前記燃料ポンプにより吐出された燃料を加圧状態で保持する保持容器（１４０）が接続されており、
前記保持容器内の燃料の圧力である保持圧力に基づいて、前記燃料ポンプの１回の前記吐出動作による燃料の吐出量を設定する吐出量設定部と、
前記吐出量設定部により設定された前記吐出量が閾値よりも少ない場合に、前記燃料ポンプの１回の前記吐出動作による燃料の吐出量を増加させる吐出量制御部と、
を備えることを特徴とする燃料ポンプの制御装置。
【請求項１１】
前記閾値は、前記保持圧力と前記吐出動作の速度に基づいて設定される請求項１０に記載の燃料ポンプの制御装置。
【請求項１２】
加圧室（１８）内の燃料を加圧部材（１１）により加圧して吐出する吐出動作を繰り返し実行する燃料ポンプ（１３０）を制御する制御装置（１００〜１０４）であって、
前記燃料ポンプには、前記燃料ポンプにより吐出された燃料を加圧状態で保持する保持容器（１４０）が接続されており、
前記保持容器内の燃料の圧力である保持圧力に基づいて、前記燃料ポンプの１回の前記吐出動作による燃料の吐出量を設定する吐出量設定部と、
前記吐出量が閾値よりも少ない場合に、前記吐出量設定部により設定された前記吐出量にかかわらず、前記燃料ポンプの１回の前記吐出動作による燃料の吐出量を所定量よりも多く設定する吐出量制御部と、
を備えることを特徴とする燃料ポンプの制御装置。
【請求項１３】
加圧室（１８）内の燃料を加圧部材（１１）により加圧して吐出する吐出動作を繰り返し実行する燃料ポンプ（１３０）を制御する制御装置（１００〜１０４）であって、
前記燃料ポンプには、前記燃料ポンプにより吐出された燃料を加圧状態で保持する保持容器（１４０）が接続されており、
前記保持容器内の燃料の圧力である保持圧力に基づいて、前記燃料ポンプの１回の前記吐出動作による燃料の吐出量を設定する吐出量設定部と、
前記保持圧力が閾値よりも高い場合に、前記吐出量設定部により設定された前記吐出量にかかわらず、前記燃料ポンプの１回の前記吐出動作による燃料の吐出量を所定量よりも多く設定する吐出量制御部と、
を備えることを特徴とする燃料ポンプの制御装置。
【請求項１４】
前記所定量は、前記保持圧力に基づいて設定される請求項１２に記載の燃料ポンプの制御装置。
【請求項１５】
前記燃料ポンプは、前記吐出動作において吐出されずに前記加圧室からリークした燃料であるリーク燃料を、前記加圧室に燃料を供給する供給通路に戻す戻し通路を備えており、
前記吐出量制御部は、前記加圧部材の移動速度が閾値よりも低い場合に、前記吐出量設定部により設定された前記吐出量にかかわらず、前記燃料ポンプの１回の前記吐出動作による燃料の吐出量を所定量よりも多く設定する請求項１３又は１４に記載の燃料ポンプの制御装置。